(57)【要約】【課題】環境保護的な問題がなく、かつ安価で簡便な包装部材を得る。【解決手段】ガラス等を使用した灯体部を有する玄関用照明器具Ａを一体的に包装する包装部材である。該部材は該玄関用照明器具Ａの外殻を嵌入する抜き穴２０，２１，２２，２３と嵌合溝を有する一対の側面壁１０，１１と、側面壁１０，１１を接合する下面１５、側面壁１０，１１にそれぞれ連設し重ね合せる上面片１６，１７を備える。両端が開放し上面で重ね合わさるスリーブ状をなしていると共に、前記下面１５の両端には全体が収納される包装箱５０に両端が当接し、スリーブの開放口をふさぐ状態で垂直に立ちあがる立ち上げ片３０が運設される。立ち上げ片３０の先端には立ち上げ片３０に対して直角に折り曲げ可能で、側面壁１０，１１の嵌合溝に対応する嵌合溝を設けた固定片３１を連設する。【選択図】　　図１
2004123226.tif 000002
【特許請求の範囲】
【請求項１】
ガラス等を使用した灯体部を有する玄関用照明器具を一体的に包装する包装部材であって、該部材は該玄関用照明器具の外殻を嵌入する抜き穴と嵌合溝を有する一対の側面壁と、側面壁を接合する下面、側面壁にそれぞれ連設し重ね合せる上面片を備え、両端が開放し上面で重ね合わさるスリーブ状をなしていると共に、前記下面の両端には全体が収納される包装箱に両端が当接し、スリーブの開放口をふさぐ状態で垂直に立ちあがる立ち上げ片が運設され、立ち上げ片の先端には立ち上げ片に対して直角に折り曲げ可能で、側面壁の嵌合溝に対応する嵌合溝を設けた固定片を連設したことを特徴とする照明器具の包装部材。
【請求項２】
立ち上げ片の下端部は、スリーブの下面と水平をなし玄関用照明器具を包装部材を用いて包装状態を完成させた時、それ自体で自立する請求項１記載の照明器具の包装部材。
【発明の詳細な説明】
【０００１】
【発明の属する技術分野】
本発明は玄関用照明器具を一体的に包装するに好適な包装部材に関する。
【０００２】
【従来の技術】
図３に示すように、玄関用照明器具Ａは壁面に取付ける取付け部Ｂからアーム部Ｅにより灯体部Ｃが突出しており、灯体部Ｃの側面は装飾効果や耐僕性からガラスパネルＤがはめ込まれていたり、灯体自体が成形したガラスで作られている等、複雑な外観形状をしていると共に、破損しやすい構造となっている。従来、このような玄関用照明器具を包装する場合、発泡スチロール等の成形品にはめ込んで包装箱中に収納する方法や（図示せず）、図４に示すように固定保持するのに適する各部分ごとに、分割した段ボールバツキンを組み合わせて包装する方法が取られていた。
【０００３】
【発明が解決しようとする課題】
上記従来技術に於いて、発泡スチロール等の成形品を用いる方法は、廃棄処理やリサイクル等環境保護面での問題があると共に部材自体が高価である。また、分割した段ボールバツキンを用いる方法は、部材の製作や管理に手間がかかると共に、包装箱に部材や器具を順次収納していく必要があり包装作業が煩雑となる。本発明は、環境保護的な問題がなく、かつ安価で簡便な包装部材を得ることを目的とする。
【０００４】
【課題を解決するための手段】
本発明の目的は、段ボール等で形成された包装部材のスリーブ部で玄関用照明器具の中央部を骸合保持し、包装部材の下面に運設した立ち上げ片と固定片で包装部材のスリーブ部分を固定することにより達成される。
本発明の包装部材は、玄関用照明器具の中央部のほぼ全周をスリーブ状に形成された包装部材の側面壁の抜き穴に薮入保持すると共に、器具のアーム部を側面壁の内側で挟持するので、玄関用照明器具は包装部材によって完全に固定される。次に、包装部材のスリーブ部分は、下面に運設された立ち上げ片が垂直に立ち上げられ、それに運なる固定片をスリーブ部の閉口側に直角に差し込む、その時固定片に設けた切り溝が、あらかじめスリーブ部の側面壁に設けられた切り溝に鞍合係止するのでスリーブ形状は確実に保持できる。さらに、立ち上げ片及び固定片の幅は、収納する包装箱の対応する内面寸法と一致させてあるから、玄関用照明器具を保持した包装部材自体の動揺もない。また、立ち上げ片の下端はスリーブ部の下面と水平であり、かつスリーブ部の幅に比べ十分な幅を持っているので、組み立てられた包装部材は自立していることが出来る。
【０００５】
【発明の実施の形態】
本発明の実施形態を図１および図２により説明する。図１は本発明包装部材の展開図、図２は同包装部材を用いて包装を完成させた状態の斜視図である。図１は包装部材１を展開した状態を示しており、１枚の段ボール等の板紙を打ち抜き加工することによりなり、下面１５と側面壁１０，１１及び相互に重なり合う上面片１６，１７を持つ、さらに下面１５の端部には折り曲げ線３５を介し立ち上げ片３０が運設されると共に、立ち上げ片３０からは折り曲げ線３６を介して固定片３１が運設されている。この折り曲げ片３０と固定片３１もま、下面１５のもう一方にも一対として形成されている。包装部材１は、図２のように両端が開放されたスリーブ状に組み立てられるが、そのスリーブ部の幅、つまり下面１５の幅は、玄関用照明器具Ａの縦方向の中央部でアーム部Ｅを挟持し、かつ下面１５から運設する側面壁１６，１７が玄関用照明器具Ａの全周を包囲する幅に設定する。また、スリーブ部の長さは器具全長より適度に長く、両端が包装箱５０の長さ方向の内壁に当接する長さとしておく。側面壁１０，１１には，下面１５の幅に相当する位置の器具の灯体部Ｃ外形をくりぬいた抜き穴２０，２１を設けると共に、同じく取付け部Ｂの抜き穴２２，２３を設け、端部に立ち上げ片３０の立ち上げ高さと等しい位置に、固定片３１の幅の１／２程度の切り溝４２，４３を設ける。下面１５に折り曲げ線３５で運設された立ち上げ片３０と、折り曲げ線３６によって連続して形成されている固定片３１の長さは、端部３７，３８が包装箱５０の幅方向の内壁に当接する長さとすると共に、側面壁１０，１１もと設けた切り溝４０，４１に嵌入できる位置で、かつ切り溝４０，４１の長さをさし引いた長さの切り溝４２，４３を設ける。このように形成された包装部材１を用いて包装する場合、まず図２に示すように玄関用照明器具Ａの灯体部Ｃと取付け部Ｂを包装部材１の側面壁１０，１１に設けた抜き穴２０，２１，２２，２３にそれぞれ嵌入させながら組み立て、上面片１６，１７を重ね合せて粘着テープ６０で固定する。次に、立ち上げ片３０を折り曲げながら固定片３１を、側面壁側と固定片側の切り溝相互を鰍合させて差し込み、全体を包装箱５０に収納する。このようにして完成された包装体では、玄関用照明器具は包装部材のスリーブ部の側面壁でアーム部が挟持されると共に、抜き穴によって灯体部の縦方向全周と取付け部が保持されるので動揺することがない。また、スリーブ部自体は立ち上げ片と固定片によって、形状の保持と包装箱内での移動が防げる。さらに、立ち上げ片はスリーブ部の下面と水平でＩ字状をなしているから完成した包装体が安定して自立し、包装作業が簡便になると共に、作業中に器具が転倒するなどして傷つくことを防止できる。
【０００６】
【発明の効果】
本発明によれば、包装するのに用いる包装材部材は、一枚の段ボール等の板紙を打ち抜き加工しただけで済むので、包装作業が簡便であると共に安価に製作することができ、環境保護性も優れている。また、包装部材で玄関用照明器具を包装する作業と、包装箱に収納する作業を必ずしも同時に行う必要がなく、作業の効率が向上すると共に、単独で器具を取り置く時でも、傷つきや破損等を防止することができる。
【図面の簡単な説明】
【図１】本発明包装部材の展開図である。
【図２】同包装部材を用いて包装を完成させた状態の斜視図である。
【図３】玄関用照明器具の外観斜視図である。
【図４】従来包装例の断面図である。
【符号の説明】
Ａ：玄関用照明器具、Ｂ：取付け部、Ｃ；灯体部、Ｄ；ガラスパネル、Ｅ：アーム部、１：包装部材、１０，１１：側面壁、１５：下面、１６，１７：上面片、２０，２１，２２，２３：抜き穴、３０：立ち上げ片、３１：固定片、４０，４１，４２，４３：切り溝、５０：包装箱
【図１】
2004123226.tif 000003
【図２】
2004123226.tif 000004
【図３】
2004123226.tif 000005
【図４】
2004123226.tif 000006